(57)【要約】【課題】段部１０やネジ部２２などの複雑な凹凸がある安全弁室１１の内側に付着したミスト２１を容易に除去する洗浄装置を提供する。【解決手段】アタッチメント１を二重構造をし、その側面にはスリット９を形成し、下部吸引口７と上部吸引口６が形成し、中央部分には洗浄用の水１５を噴射するノズル２を装着する。そして、減圧をしながら真空ポンプ２０を運転することによって、空気はスリット９から吸い込まれ、ノズル２から噴射した洗浄用の水１５は、アタッチメント１の下部吸引口７及び上部吸引口６から吸い込んで安全弁室１１の内側を洗浄する。【選択図】          図１
2005019272.tif 000002
【特許請求の範囲】
【請求項１】
アタッチメントを用い、洗浄液を噴射しながら減圧状態で吸引して洗浄をする制御弁式鉛蓄電池の安全弁室の洗浄方法であって、前記アタッチメントは二重構造をしており、該アタッチメントの側面にはスリットが形成されており、該アタッチメントの下部には吸引口が形成されており、該アタッチメントの中央部分には洗浄液を噴射するノズルが装着されており、大気中の空気は前記スリットから吸い込まれ、前記ノズルから噴射した洗浄液は、前記アタッチメントの前記吸引口から吸い込まれることによって前記安全弁室の内側を洗浄することを特徴とする安全弁室の洗浄方法。
【請求項２】
アタッチメントを用い、洗浄液を噴射しながら減圧状態で吸引して洗浄をする制御弁式鉛蓄電池の安全弁室の洗浄装置であって、前記アタッチメントは二重構造をしており、該アタッチメントの側面にはスリットが形成されており、該アタッチメントの下部には吸引口が形成されており、該アタッチメントの中央部分には洗浄液を噴射するノズルが装着されており、大気中の空気は前記スリットから吸い込まれ、前記ノズルから噴射した洗浄液は、前記アタッチメントの前記吸引口から吸い込まれることによって前記安全弁室の内側を洗浄することを特徴とする安全弁室の洗浄装置。
【請求項３】
前記吸引口は、前記アタッチメントの底部に形成されている下部吸引口と、該下部吸引口よりも上部に形成されている上部吸引口で構成されていることを特徴とする請求項２記載の安全弁室の洗浄装置。
【請求項４】
前記スリットの一部は、１個又は複数個のＯリングで覆われていることを特徴とする請求項２又は３記載の安全弁室の洗浄装置。
【発明の詳細な説明】
【０００１】
【発明の属する技術分野】
本発明は、電槽化成をした制御弁式鉛蓄電池の安全弁室に付着した、希硫酸ミストの洗浄方法及び洗浄装置に関するものである。
【０００２】
【従来の技術】
制御弁式鉛蓄電池は、コスト低減を目的として、主に電槽化成によって製造されている。すなわち、図３（ａ）に示されるように、キャップ形安全弁１４を装着しない状態で充電し、電槽化成をするものである。そして、電槽化成時には、希硫酸電解液のミスト２１が、安全弁筒１２を通して外部に飛散して、安全弁室１１の内側の底部２８やネジ部２５などに付着する。
【０００３】
従来は、安全弁室１１の内側に付着したミスト２１は、出願人が知る限りにおいて、作業者が湿らせた布などでていねいに拭き取って除去していた。そして、安全弁筒１２にキャップ形安全弁１４を上方から装着した後に、ネジの切ってある上蓋１３を螺合させて制御弁式鉛蓄電池を製造していた（図３（ｃ））。
【０００４】
【発明が解決しようとする課題】
しかしながら、安全弁室１１にはオスネジ部２６の切ってある上蓋１３と螺合させる構造上、段部１０やネジ部２５を有している。すなわち、安全弁室１１の内側には複雑な凹凸があるために、安全弁室１１の内側に付着したミスト２１を湿らせた布などを用いても、完全に除去するのが困難であった。また、この除去作業は、きわめて手間のかかる作業であった。
【０００５】
そして、この除去作業が不十分であると、安全弁室１１の内側に付着したミスト２１がやがて外部に染み出すことによって、制御弁式鉛蓄電池を使用する機器を腐食させるという問題点があった。
【０００６】
本発明の目的は、上記した問題点の解決を目的とするものであり、安全弁室１１の内側に付着したミスト２１を容易に、且つ、完全に除去することができる洗浄方法及び洗浄装置を提供することである。
【０００７】
【課題を解決するための手段】
上記した課題を解決するために、本発明は、アタッチメントに装着されているノズルから、洗浄水を噴射させるとともに、アタッチメントに形成されているスリットから空気を吸い込んで安全弁室の内側を洗浄する。そして、洗浄後の水と空気とを同時に吸引して排出することによって、安全弁室の内側に付着したミストを除去することを特徴としている。
【０００８】
すなわち、請求項１の発明は、アタッチメントを用い、洗浄液を噴射しながら減圧状態で吸引して洗浄をする制御弁式鉛蓄電池の安全弁室の洗浄方法であって、前記アタッチメントは二重構造をしており、該アタッチメントの側面にはスリットが形成されており、該アタッチメントの下部には吸引口が形成されており、該アタッチメントの中央部分には洗浄液を噴射するノズルが装着されており、大気中の空気は前記スリットから吸い込まれ、前記ノズルから噴射した洗浄液は、前記アタッチメントの前記吸引口から吸い込まれることによって前記安全弁室の内側を洗浄することを特徴としている。
【０００９】
請求項２の発明は、アタッチメントを用い、洗浄液を噴射しながら減圧状態で吸引して洗浄をする制御弁式鉛蓄電池の安全弁室の洗浄装置であって、前記アタッチメントは二重構造をしており、該アタッチメントの側面にはスリットが形成されており、該アタッチメントの下部には吸引口が形成されており、該アタッチメントの中央部分には洗浄液を噴射するノズルが装着されており、大気中の空気は前記スリットから吸い込まれ、前記ノズルから噴射した洗浄液は、前記アタッチメントの前記吸引口から吸い込まれることによって前記安全弁室の内側を洗浄することを特徴としている。
【００１０】
請求項３の発明は、請求項２の発明において、吸引口は、前記アタッチメントの底部に形成されている下部吸引口と、該下部吸引口よりも上部に形成されている上部吸引口で構成されていることを特徴としている。
【００１１】
請求項４の発明は、請求項２又は請求項３の発明において、スリットの一部は、１個又は複数個のＯリングで覆われていることを特徴としている。
【００１２】
【実施例】
本発明に係わる制御弁式鉛蓄電池の安全弁室の内側に付着した、希硫酸電解液のミストを除去するための洗浄方法及び洗浄装置について、図１〜４を用いて詳細に説明する。
【００１３】
１．洗浄装置システムの概要
図４に、本発明に係わる洗浄装置システムの使用状況の概略図を示す。すなわち、水タンク２１に蓄えられている洗浄用の水を、送水ポンプ２２を用いて、流量調節バルブ２３でその流量を調整する。流量を調整した洗浄用の水は、アタッチメント１を介して希硫酸電解液であるミスト２４が付着している安全弁室１１に供給して、この内側部分を洗浄するものである。
【００１４】
洗浄後の廃液は、後述するスルット９からの空気とともに、通常使用されている真空ポンプ２０を用いて吸引し、気−液分離槽１９で水分を分離する。
【００１５】
２．アタッチメント部分の構造及び動作状態
図１、図２及び図３を用いて、本発明に係わる洗浄装置のアタッチメント１及び洗浄方法について説明する。本発明に係わる洗浄装置のアタッチメント１の外側部分は樹脂製であり、中空であり、二重構造をした略筒形状をしている。そして、その内側の中央部分には、洗浄用の水１５を噴射するために金属製のノズル２が装着されている（図３−（ｂ））。
【００１６】
アタッチメント１の樹脂製部分の下部には、下部吸引口７を有しており、該下部吸引口７はノズル２から噴射された洗浄後の水１５を吸い上げる部分である。また、下部吸引口７よりもやや上部には、上部吸引口６が形成されており、同様にノズル２から噴射された洗浄後の水１５を吸い上げる部分である。
【００１７】
なお、図１〜３に示す本実施例では、下部吸引口７と上部吸引口６の２段の吸引口を設けているが、小形の安全弁室１１の場合には、下部吸引口７又は上部吸引口６の一方のみとすることができ、大形の安全弁室１１の場合には、吸引口の段数をさらに追加して設けることもできる。加えて、安全弁室１１の底部２８にミスト２４が付着しやすい場合には、下部吸引口７の径を大きくしたり、その数を増やすことができる。一方、安全弁室１１のネジ２５にミスト２４が付着しやすい場合には、上部吸引口６の径を大きくしたり、その数を増やすことができる。
【００１８】
アタッチメント１の上部吸引口６よりもやや上部の側面には、スリット９が形成されており、該スリット９からは後述するように大気中の空気１６が吸引される（図１、２）。ここで、スリット９を、上部吸引口６よりも上部に配置することによって、洗浄後の水１５がアタッチメント１の外部に漏れることもない。
【００１９】
ここで、本実施例では、図１及び図２に示すように、スリット９の略中央部分を囲むようにＯリング５ｂを嵌合させている。このような構造にすることによって、アタッチメント１をコンパクトな構造にできる。加えて、鉛蓄電池の機種や必要に応じて、Ｏリング５ｂの数を２個又は３個にすることによって、スリット９の部分から吸引される空気量を容易に調整することもできる。
【００２０】
そして、アタッチメント１を鉛蓄電池１８の蓋２７の上方から押圧した状態で当接させて、Ｏリング５ｂを加圧することによって、当接部で密閉されるようにした（図３（ｂ））。ここで、洗浄時には真空ポンプ２０を作動させながら、減圧状態で運転するために、蓋２７とアタッチメント１との間やスリット９の部分から、洗浄用の水１５が外部に漏れることはない。
【００２１】
ノズル２の先端部の周囲は、一段細くなっている構造をしており、細くなっている部分には溝が形成されており、該溝にはＯリング５ａが嵌合されている。そして、ノズル２の先端部の一段細くなっている部分は、安全弁筒１２の内側に挿入されて嵌合され、この嵌合部分はＯリング５ａでシールされるようにした（図３（ｂ））。したがって、ノズル２から噴射された洗浄用の水１５が、安全弁筒１２の内側に流れ込むこともない。
【００２２】
ノズル２から噴射された洗浄用の水１５は、二重構造をしたアタッチメント１の内側の面と、安全弁筒１２の外側の面との隙間部分を通って、その一部は下部吸引口７から、残りは上部吸引口６より吸い込まれる。この際に、上述したように真空ポンプ２０を運転して、アタッチメント１の内側を減圧状態とし、スリット９から空気１７も同時に吸い込まれるようにした。
【００２３】
すなわち、安全弁室１１の底部２８に付着したミスト２４は、下部吸引口７から洗浄用の水１５とともに吸い込まれ、安全弁室１１のネジ部２５や段部１０に付着したミスト２４は、上部吸引口６から洗浄用の水１５とともに吸い込まれる（図３（ｂ））。したがって、段部１０やネジ部２２などの複雑な凹凸がある安全弁室１１の内側に付着したミスト２１を容易に除去することができる。
【００２４】
そして、安全弁室１１を洗浄した鉛蓄電池は、従来と同様に安全弁筒１２にキャップ形安全弁１４を装着した後、ネジの切ってある上蓋１３を螺合させて制御弁式鉛蓄電池を製造する（図３（ｃ））。
【００２５】
【発明の効果】
上述したように、本発明に係わる洗浄方法及び洗浄装置を用いると、段部１０やネジ部２２を有しており、複雑な凹凸がある安全弁室１１の内側に付着したミスト２１を容易に除去することができるために優れたものである。
【図面の簡単な説明】
【図１】本発明に係わる洗浄装置のアタッチメント部分の要部断面概略図である。
【図２】本発明に係わる洗浄装置のアタッチメント部分の要部斜視図である。
【図３】本発明に係わる洗浄装置の使用状況を示す概略図である。
【図４】本発明に係わる洗浄装置システムの使用状況を示す概略図である。
【符号の説明】
１：アタッチメント、２：ノズル、３：給水チューブ、４：排水チューブ、
５ａ、ｂ：Ｏリング、６：上部吸引口、７：下部吸引口、８：ノズル装着部、
９：スリット、１０：段部、１１：安全弁室、１２：安全弁筒、１３：上蓋、
１４：キャップ形安全弁、１５：水、１６：空気、１７：水・空気、
１８：鉛蓄電池、１９：気−液分離槽、２０：真空ポンプ、２１：水タンク、
２２：送水ポンプ、２３：流量調節バルブ、２４：ミスト、２５：ネジ部、
２６：オスネジ部、２７：蓋、２８：底部
【図１】
2005019272.tif 000003
【図２】
2005019272.tif 000004
【図３】
2005019272.tif 000005
【図４】
2005019272.tif 000006